(57)【要約】【課題】この発明は、敷居を簡易に据え付けられるとともに、敷居の下降を確実に防止できるエレベータの乗り場敷居装置を得る。【解決手段】ベース板４の基部５が円形の穴７ａに通されたアンカーボルト１７を締着して固定され、敷居固定取付金８の底板部９が基部５上に重ねられ、細長の穴１２ａに通されたアンカーボルト１７により上下方向に移動可能に固定されている。ジャッキボルト１８が受け部６に固着されたナット１９に螺合されて受け板部１１を押圧可能に配設されている。さらに、敷居受け金１３が取付腕１４を敷居固定取付金８の側板部１０に奥行き方向に移動可能に締着されている。そして、敷居受け金１３の締結腕１５が敷居の下面に対面し、ボルトにより敷居に締着されている。【選択図】図３
2008143615.tif 000002
【特許請求の範囲】
【請求項１】
乗り場の出入り口の下縁部に配設され、下面に開口する縦通溝が設けられた敷居と、
基部が上記出入り口の下部の昇降路壁に該昇降路壁に沿う方向の移動を規制されてアンカーボルトにより締結され、該基部のアンカーボルト固定位置の下方位置から昇降路側に突設された受け部を有するベース板と、
底板部が上記ベース板の基部に重ねて配置されて上下方向に移動可能に上記アンカーボルトにより締結され、該底板部のアンカーボルト固定位置の下方位置から上記受け部の上方位置で、かつ該受け部と相対するように突設された受け板部および該底板部のアンカーボルト固定位置の左右方向の少なくとも一側から突設されて上下方向に配置された側板部を有する敷居固定取付金と、
Ｌ字状に成形され、該Ｌ字状の一辺が上記側板部に重ねて配置されて奥行き方向に移動可能に締結され、該Ｌ字状の他辺が上記敷居の下面に対面する敷居受け金と、
上記縦通溝に係合され該縦通溝の長手方向に移動可能に設けられ、かつ上記敷居受け金のＬ字状の他辺に設けられた穴に挿通されて上記敷居と上記敷居受け金とを締結する締結具と、
上記受け部と上記受け板部との間隔を拡大して上記敷居固定取付金を上方に移動させる敷居固定取付金移動手段と、
を備えていることを特徴とするエレベータの乗り場敷居装置。
【請求項２】
上記敷居固定取付金移動手段は、上記受け部又は上記受け板部に螺合されたジャッキボルトであることを特徴とする請求項１記載のエレベータの乗り場敷居装置。
【請求項３】
乗り場の出入り口の下縁部に配設され、下面に開口する縦通溝が設けられた敷居と、
底板部が上記出入り口の下部の昇降路壁に該昇降路壁に沿う方向の移動を規制されてアンカーボルトにより締結され、該底板部のアンカーボルト固定位置の左右方向の少なくとも一側から突設されて上下方向に配置された側板部を有する敷居固定取付金と、
Ｌ字状に成形され、該Ｌ字状の一辺が上記側板部に重ねて配置されて奥行き方向に移動可能に締結され、該Ｌ字状の他辺が上記敷居の下面との隙間を上記出入り口側に向かって漸次大きくなる傾斜面に形成された敷居受け金と、
上記敷居の下面と上記敷居受け金のＬ字状の他辺との間に配設されたくさび板と、
上記縦通溝に係合され該縦通溝の長手方向に移動可能に設けられ、かつ上記くさび板に設けられた穴および上記敷居受け金のＬ字状の他辺に設けられた穴に挿通されて上記敷居、上記くさび板および上記敷居受け金を締結する締結具と、
上記くさび板を上記敷居受け金のＬ字状の他辺に沿って奥行き方向に移動させるくさび板移動手段と、
を備えていることを特徴とするエレベータの乗り場敷居装置。
【請求項４】
上記くさび板移動手段は、上記敷居受け金のＬ字状の他辺の先端部から上方に突設された受け腕と、上記受け腕に回転自在に支持され、その先端が上記くさび板に螺合されたくさび板引き寄せボルトと、を備えていることを特徴とする請求項３記載のエレベータの乗り場敷居装置。
【請求項５】
上記くさび板移動手段は、上記敷居受け金のＬ字状の他辺の先端部から上方に突設された受け腕と、上記受け腕に螺合されて、その先端が上記くさび板に回転自在に連結されたくさび板引き寄せボルトと、を備えていることを特徴とする請求項３記載のエレベータの乗り場敷居装置。
【発明の詳細な説明】
【技術分野】
【０００１】
この発明は、エレベータの乗り場の戸を案内する敷居装置に関するものである。
【背景技術】
【０００２】
従来のエレベータの乗り場敷居装置は、出入り口の下縁部に配置され、下面に横断面鳩尾状をなす縦通溝が形成された敷居と、溝形に形成され、その底面が上下方向の溝穴を介してアンカーボルトにより出入り口の下縁部壁面に締結された第１取付具と、Ｌ字状の一辺からなる取付面を第１取付具の溝形の側壁からなる突出面に重合して配置されて突出面に沿う方向に移動可能に締結され、他片からなる締結面が敷居下面に対面するとともに中高に湾曲成形されている第２取付具と、縦通溝に係合され、縦通溝の長手方向に移動可能に設けられ、かつ締結面に設けられた溝穴に挿通されて第２取付具および敷居を締結した締結具と、を備えている（例えば、特許文献１参照）。
【０００３】
【特許文献１】実公昭６０−６５３５号公報
【発明の開示】
【発明が解決しようとする課題】
【０００４】
従来のエレベータの乗り場敷居装置では、敷居の据え付け時の芯出し作業において、第１取付具と第２取付具とを仮固定した後、第１取付具をハンマーで叩いて上下方向に移動させて敷居の上下方向の位置を調整していたので、敷居の据え付け調整が面倒で、長い作業時間が必要であった。
また、第１取付具は、アンカーボルトをその底面に設けられた上下方向の溝穴に通して壁面に締着して取り付けられているので、荷重が敷居にかかって、経年で敷居が下がり、段差が発生する恐れがあった。
【０００５】
この発明は、上記の課題を解決するためになされたものであり、敷居を簡易に据え付けられるとともに、敷居の下降を確実に防止できるエレベータの乗り場敷居装置を得ることを目的とする。
【課題を解決するための手段】
【０００６】
この発明によるエレベータの乗り場敷居装置は、乗り場の出入り口の下縁部に配設され、下面に開口する縦通溝が設けられた敷居と、基部が上記出入り口の下部の昇降路壁に該昇降路壁に沿う方向の移動を規制されてアンカーボルトにより締結され、該基部のアンカーボルト固定位置の下方位置から昇降路側に突設された受け部を有するベース板と、底板部が上記ベース板の基部に重ねて配置されて上下方向に移動可能に上記アンカーボルトにより締結され、該底板部のアンカーボルト固定位置の下方位置から上記受け部の上方位置で、かつ該受け部と相対するように突設された受け板部および該底板部のアンカーボルト固定位置の左右方向の少なくとも一側から突設されて上下方向に配置された側板部を有する敷居固定取付金と、Ｌ字状に成形され、該Ｌ字状の一辺が上記側板部に重ねて配置されて奥行き方向に移動可能に締結され、該Ｌ字状の他辺が上記敷居の下面に対面する敷居受け金と、上記縦通溝に係合され該縦通溝の長手方向に移動可能に設けられ、かつ上記敷居受け金のＬ字状の他辺に設けられた穴に挿通されて上記敷居と上記敷居受け金とを締結する締結具と、上記受け部に設けられて、上記受け部と上記受け板部との間隔を拡大して上記敷居固定取付金を上方に移動させる敷居固定取付金移動手段と、を備えている。
【発明の効果】
【０００７】
この発明によれば、ベース板の基部が昇降路壁に該昇降路壁に沿う方向の移動を規制されてアンカーボルトにより締結されているので、荷重が敷居にかかって、経年で敷居が下がるような不具合が未然に防止される。
また、ベース板の基部に重ねて配置された敷居固定取付金の底板部が上下方向に移動可能にアンカーボルトにより締結され、敷居固定取付金移動手段が受け部と受け板部との隙間を拡大できるように設けられている。そこで、敷居固定取付金移動手段により、受け部と受け板部との間の隙間が拡大させると、敷居固定取付金を上方向に移動させることができる。これにより、ハンマーを用いた敷居の上下方向の位置調整作業が不要となり、敷居を簡易に据え付けることができる。
【発明を実施するための最良の形態】
【０００８】
実施の形態１．
図１はこの発明の実施の形態１に係るエレベータ乗り場敷居装置を昇降路側から見た正面図、図２は図１のＩＩ−ＩＩ矢視断面図、図３はこの発明の実施の形態１に係るエレベータ乗り場敷居装置の構成を説明する分解斜視図である。なお、図１において、便宜的に、出入り口１の間口方向を左右方向、出入り口１の高さ方向を上下方向（鉛直方向）、紙面に垂直の方向を奥行き方向とする。
【０００９】
図１乃至図３において、敷居２は、下面に横断面鳩尾状の縦通溝２ａが形成され、エレベータの乗り場の出入り口１の下縁部に配設されている。
ベース板４は、鋼板を屈曲成形され、矩形状の基部５と、基部５の一辺から直角に起立された受け部６と、から構成されている。このベース板４は、受け部６側を下方に向けて、基部５を出入り口１の下部に位置する昇降路壁３に密接して配設される。基部５には、アンカーボルト１７が挿通される２つの円形の穴７ａが、基部５の受け部６を挟む二辺間の中央位置、即ち基部５の左右方向の中央位置に、上下方向に互いに離間して穿設されている。また、受け部６は、基部５から昇降路側に突出し、かつ左右方向に延設され、ジャッキボルト１８が挿入される１つの円形の穴７ｂが、左右方向の中央位置に穿設されている。さらに、ナット１９が受け部６の外壁面に穴７ｂと同軸に固定されている。ここで、穴７ａ，７ｂの穴中心は、同一平面上に位置している。
【００１０】
敷居固定取付金８は、鋼板を屈曲成形され、矩形状の底板部９と、底板部９の相対する両辺から直角に、かつ互いに平行に起立された一対の側板部１０と、底板部９の残る二辺の一方の辺から直角に起立された受け板部１１と、から構成されている。この敷居固定取付金８は、受け板部１１側を下方に向けて、底板部９をベース板４の基部５上に載置して配設される。底板部９には、アンカーボルト１７が挿通される２つの細長の穴１２ａが、一対の側板部１０間の中央位置、即ち左右方向の中央位置で、穴の長軸方向を上下方向として、上下方向に互いに離間して穿設されている。この時、２つの穴１２ａの穴中心間隔が、ベース板４の基部５に穿設された２つの穴７ａの穴中心間隔に一致している。受け板部１１は、底板部９から昇降路側に突出し、かつ受け部６と相対して左右方向に延設されている。一対の側板部１０は、底板部９から昇降路側に突出し、相対して平行に上下方向に延設されている。各側板部１０には、２つの細長の穴１２ｂが、穴の長軸方向を上下方向および左右方向に直交する奥行き方向として、上下方向に互いに離間して穿設されている。
【００１１】
この敷居固定取付金８は、穴１２ａ，７ａに通したアンカーボルト１７を締着して、ベース板４と共に昇降路壁３に固定される。また、ナット１９に螺合されたジャッキボルト１８の先端が受け板部１１に当接している。ここで、ジャッキボルト１８および受け部６に固着されたナット１９が敷居固定取付金移動手段を構成する。
【００１２】
敷居受け金１３は、細長の鋼板を略Ｌ字状に屈曲成形され、Ｌ字状の一辺からなる平板状の取付腕１４と、Ｌ字状の他辺からなり、その折り曲げ方向の中央位置が突出する凸状の湾曲板状の締結腕１５と、から構成されている。取付腕１４には、２つの円形の穴１６ａが、側板部１０に穿設された２つの穴１２ｂに対応するように穿設されている。また、締結腕１５には、細長の穴１６ｂが、穴の長軸方向を折り曲げ方向に一致させて穿設されている。そして、敷居受け金１３は、取付腕１４を側板部１０の外壁面に沿わせ、穴１２ｂ，１６ａに挿通された締結ボルト２０にナット２１を締結して、敷居固定取付金８に取り付けられる。さらに、締結ボルト２２が、頭部を敷居２の縦通溝２ａ内に位置させて、締結腕１５の穴１６ｂを挿通され、ナット２３が締結ボルト２２の締結腕１５からの延出部に締着されている。なお、締結腕１５の穴１６ｂの長軸方向は、左右方向に一致している。締結ボルト２２およびナット２３が敷居２と敷居受け金１３とを締結する締結具を構成する。
【００１３】
このように構成された乗り場敷居装置では、敷居固定取付金８の底板部９に穿設された細長の穴１２ａの穴の長軸方向が上下方向に一致しているので、敷居固定取付金８は、アンカーボルト１７に対して、穴１２ａの長軸方向に移動でき、敷居固定取付金８の上下方向の位置を調整できる。また、敷居固定取付金８の側板部１０に穿設された細長の穴１２ｂの長軸方向が奥行き方向に一致しているので、穴１６ａに通された締結ボルト２０が穴１２ｂの長軸方向に移動でき、敷居受け金１３の奥行き方向の位置を調整できる。さらに、敷居２の縦通溝２ａの溝方向が左右方向に一致しているので、敷居受け金１３の敷居２に対する左右方向の位置を調整できる。これにより、上下方向、左右方向および奥行き方向の３つの方向の位置調整が可能となり、敷居２が、エレベータの乗り場の出入り口１の下縁部に、上面が出入り口１と同一面位置となるように配設できる。
【００１４】
また、敷居受け金１３の締結腕１５に穿設された細長の穴１６ｂの長軸方向が左右方向に一致し、かつ締結腕１５が上に凸の湾曲形状に形成されている。そこで、敷居固定取付金８が上下方向に対して僅かに傾斜した状態で昇降路壁３に取り付けられても、敷居２の下面に対する締結腕１５の接触位置が穴１６ｂの長軸方向にずれるだけで、敷居２と締結腕１５との接触状態は保たれるので、据え付け作業性が向上される。
【００１５】
つぎに、このように構成された乗り場敷居装置の据え付け方法について説明する。
まず、下穴を昇降路壁３にあけ、アンカー本体（図示せず）を下穴に入れる。そして、打ち込み棒を使ってアンカー本体を打ち込む。これにより、アンカー本体のスリーブ拡張部が開脚して昇降路壁に食い込み、アンカー本体が固定される。
ついで、穴７ａを下穴に合わせて、ベース板４の基部５を昇降路壁３に沿わせ、穴１２ａを穴７ａに合わせて、敷居固定取付金８の底板部９を重ねる。そして、アンカーボルト１７を穴１２ａ，７ａに通してアンカー本体に締着し、ベース板４および敷居固定取付金８を仮止めする。さらに、ジャッキボルト１８をナット１９に螺着し、その先端を敷居固定取付金８の受け板部１１に当接させる。
【００１６】
ついで、穴１６ａを側板部１０の穴１２ｂに重なるように、敷居受け金１３を外側から各側板部１０に沿わせる。そして、締結ボルト２０を穴１６ａ，１２ｂに通し、ナット２１を締結ボルト２０の延出部に締着し、敷居受け金１３を側板部１０に仮止めする。
ついで、締結ボルト２２を敷居２の縦通溝２ａ内に挿入し、締結腕１５の穴１６ｂに通し、ナット２３を締結ボルト２２の延出部を締着し、敷居２を敷居受け金１３に仮止めする。
【００１７】
その後、レンチなどを用いてジャッキボルト１８を回して、ジャッキボルト１８の受け部６からの延出量を変える。このとき、ベース板４は、円形の穴７ａに挿通するアンカーボルト１７により下方への移動が阻止される。これにより、敷居固定取付金８は、受け板部１１がジャッキボルト１８に押圧されて、アンカーボルト１７を案内にして上方向に移動する。そして、敷居固定取付金８の上下方向の位置調整が完了すると、アンカーボルト１７を増し締めし、敷居固定取付金８およびベース板４を昇降路壁３に固定する。
また、締結ボルト２０を穴１２ｂ内をその長軸方向に移動させて、敷居受け金１３を奥行き方向に移動する。そして、敷居受け金１３の奥行き方向の位置調整が完了すると、ナット１９を増し締めし、敷居受け金１３を敷居固定取付金８に固定する。
また、締結ボルト２２を縦通溝２ａ内を移動させて、締結ボルト２２を敷居２と締結腕１５との接触位置まで移動させる。そして、ナット２３を増し締めし、敷居２と敷居受け金１３とを固定する。
【００１８】
このように、この実施の形態１によれば、ジャッキボルト１８の受け部６からの延出量を変えるだけで、敷居２の上下方向の位置を調整できる。そこで、従来装置で行われていた第１取付具をハンマーで叩いて敷居の上下方向の位置を調整する作業が不要となり、敷居２の据え付け調整が極めて簡易となり、作業時間の短縮が図られ、乗り場敷居の据え付けや保守が容易となる。
【００１９】
また、敷居２に作用する荷重は、敷居受け金１３、敷居固定取付金８の受け板部１１およびジャッキボルト１８を介してベース板４で受けられている。そして、アンカーボルト１７がベース板４の基部５に穿設された円形の穴７ａを挿通して昇降路壁３に打設されたアンカー本体に締着されているので、ベース板５の上下方向の移動が阻止されている。そこで、荷重が敷居２にかかって、経年で敷居２が下がり、段差が発生することが確実に防止される。
【００２０】
また、ベース板４が、基部５に穿設された２つの円形の穴７ａに挿通されたジャッキボルト１８により支持されているので、ベース板４の回動が阻止され、敷居２を長期的に安定して支持することができる。
また、穴７ａ，７ｂの穴中心が同一平面上に位置しているので、ジャッキボルト１８の押し上げ力が、アンカーボルト１７の配列方向の真下から敷居固定取付金８に作用する。そこで、敷居固定取付金８は、アンカーボルト１７周りに回動することなく、上下方向に移動するので、敷居固定取付金８の上下方向の位置調整の作業負荷が軽減される。
【００２１】
なお、上記実施の形態１では、２本のアンカーボルト１７でベース板４を固定するものとしているが、アンカーボルト１７の本数は２本に限定されるものではなく、１本でも、３本以上であっても良い。但し、ベース板４の安定した固定を考慮すれば、複数本のアンカーボルト１７を用いることがよい。
また、上記実施の形態１では、１本のジャッキボルト１８により敷居固定取付金８の上下方向の位置調整を行うものとしているが、ジャッキボルト１８の本数は１本に限定されるものではなく、２本以上であっても良い。
【００２２】
また、上記実施の形態１では、受け部６が基部５の一辺に屈曲成形されているものとしているが、受け部を基部の一面のアンカーボルト挿入用の穴の下方位置に溶接などにより突設してもよい。
また、上記実施の形態１では、側板部１０が底板部９の相対する二辺に屈曲形成されているものとしているが、側板部を底板部の一面のアンカーボルト挿入用の穴の左右方向の両側に溶接などにより突設してもよい。
【００２３】
また、上記実施の形態１では、敷居固定取付金移動手段がジャッキボルト１８および受け部６に固着されたナット１９により構成されているものとしているが、敷居固定取付金移動手段はこの構成に限定されるものではなく、例えばナットを受け板部に固着し、ジャッキボルトをそのナットに螺合させて、ジャッキボルトの延出端を受け部に当接させるようにしてもよい。
また、上記実施の形態１では、側板部１０に細長の穴１２ｂを設け、取付腕１４に円形の穴１６ａを設けるものとしているが、側板部１０に円形の穴を設け、取付腕に細長の穴を設けてもよい。
【００２４】
実施の形態２．
図４はこの発明の実施の形態２に係るエレベータ乗り場敷居装置の据え付け状態を示す一部破断側面図、図５はこの発明の実施の形態２に係るエレベータ乗り場敷居装置の据え付け状態を示す要部拡大図、図６はこの発明の実施の形態２に係るエレベータ乗り場敷居装置に適用されるくさび板を示す斜視図、図７はこの発明の実施の形態２に係るエレベータ乗り場敷居装置に適用される敷居受け金を示す斜視図である。
【００２５】
図４乃至図７において、敷居固定取付金８Ａは、アンカーボルト１７が挿通される細長の穴１２ａに代えて円形の穴１２ｃを底板部９に穿設し、受け板部１１を不要としている点を除いて、実施の形態１の敷居固定取付金８と同様に構成されている。敷居受け金１３Ａは、湾曲に成形された締結腕１５に代えて締結腕１５Ａが形成されている点を除いて、実施の形態１の敷居受け金１３と同様に構成されている。そして、締結腕１５Ａは、高さ位置が出入り口１側に向かって徐々に低くなる、奥行き方向に傾斜する平板状に形成され、受け腕２５が締結腕１５Ａの出入り口１と反対側（昇降路側）の端部を上方に屈曲して形成されている。また、細長の穴１６ｃが、穴の長軸方向を奥行き方向に一致させて締結腕１５Ａに穿設されている。さらに、受け腕２５には、Ｕ字状の切り欠き２６が穴１６ｃの長軸方向に一致する位置に形成されている。
【００２６】
くさび板２７は、楔状の断面形状をなし、細長の穴２８が穴の長軸方向を厚みの増減方向（傾斜方向）に一致させて穿設されている。さらに、ねじ穴２９が、穴方向を穴２８の長軸方向に一致させて穴２８と外部とを連通するようにくさび板２７の薄肉部側に形成されている。このくさび板２７は、厚みの増減方向を奥行き方向に一致させ、かつ薄肉部側を出入り口１と反対側に向けて、敷居２の下面と締結腕１５Ａの上面との間に介装されている。そして、くさび板２７は、縦通溝２ａ内から穴２８，１６ｃを通された締結ボルト２２にナット２３を締着して、敷居２と締結腕１５Ａとの間に加圧挟持されている。ここで、くさび板２７は、締結腕１５Ａの上面に載置された際に、その上面が水平となるくさび形状に形成されている。
【００２７】
くさび板引き寄せボルト３０は、切り欠き２６を挿通してねじ穴２９に螺着され、緩み止めナット３１を締着して受け腕２５に固定されている。ここで、受け腕２５、ねじ穴２９、くさび板引き寄せボルト３０および緩み止めナット３１がくさび板移動手段を構成している。
なお、他の構成は上記実施の形態１と同様に構成されている。
【００２８】
このように構成された乗り場敷居装置では、２つの円形の穴１２ｃが敷居固定取付金８Ａの底板部９に穿設されているので、敷居固定取付金８Ａは、穴１２ｃを挿通するアンカーボルト１７により、昇降路壁３に沿った方向の移動を阻止されて、昇降路壁３に固定されている。また、くさび板引き寄せボルト３０が切り欠き２６を挿通してくさび板２７のねじ穴２９に螺着され、くさび板引き寄せボルト３０に螺着された緩み止めナット３１が受け腕２５の外壁面に当接しているので、くさび板引き寄せボルト３０を回転させることにより、くさび板２７が締結腕１５Ａの上面である傾斜面上を移動される。これにより、くさび板２７の上面、即ち敷居２の上下方向の位置を調整できる。
【００２９】
また、上記実施の形態１と同様に、敷居固定取付金８Ａの側板部１０に穿設された細長の穴１２ｂの長軸方向が奥行き方向に一致しているので、穴１６ａに通された締結ボルト２０が穴１２ｂの長軸方向に移動でき、敷居受け金１３Ａの奥行き方向の位置を調整できる。さらに、敷居２の縦通溝２ａの溝方向が左右方向に一致しているので、敷居受け金１３Ａの敷居２に対する左右方向の位置を調整できる。
【００３０】
このように、この実施の形態２においても、上下方向、左右方向および奥行き方向の３つの方向の位置調整が可能となり、敷居２を、エレベータの乗り場の出入り口１の下縁部に、上面が出入り口１と同一面位置となるように配設できる。
【００３１】
つぎに、このように構成された乗り場敷居装置の据え付け方法について説明する。
まず、下穴を昇降路壁３にあけ、アンカー本体（図示せず）を穴に入れる。そして、打ち込み棒を使ってアンカー本体を打ち込む。これにより、アンカー本体のスリーブ拡張部が開脚して昇降路壁に食い込み、アンカー本体が固定される。
ついで、穴１２ｃを下穴に合わせて、敷居固定取付金８Ａの底板部９を昇降路壁３に沿わせる。そして、アンカーボルト１７を穴１２ｃに通してアンカー本体に締着し、敷居固定取付金８Ａを固定する。
【００３２】
ついで、穴１６ａを側板部１０の穴１２ｂに重なるように、敷居受け金１３Ａを外側から各側板部１０に沿わせる。そして、締結ボルト２０を穴１６ａ，１２ｂに通し、ナット２１を締結ボルト２０の延出部に締着し、敷居受け金１３Ａを側板部１０に仮止めする。
ついで、くさび板引き寄せボルト３０がねじ穴２９に螺着されたくさび板２７を受け腕２５の上面に載置する。この時、くさび板引き寄せボルト３０は、切り欠き２６を挿通され、その頭部が昇降路側に延出し、緩み止めナット３１が頭部と受け腕２５との間に位置している。
ついで、締結ボルト２２を敷居２の縦通溝２ａ内に挿入し、くさび板２７の穴２８および締結腕１５Ａの穴１６ｃに通し、ナット２３を締結ボルト２２の延出部に締着し、敷居２を敷居受け金１３Ａに仮止めする。
【００３３】
その後、締結ボルト２０を穴１２ｂ内をその長軸方向に移動させて、敷居受け金１３Ａを奥行き方向に移動する。そして、敷居受け金１３Ａの奥行き方向の位置調整が完了すると、ナット２１を増し締めし、敷居受け金１３Ａを敷居固定取付金８Ａに固定する。
ついで、緩み止めナット３１を回して受け腕２５の外壁面に当接させ、くさび板引き寄せボルト３０を回転させ、くさび板２７を引き寄せる。これにより、くさび板２７は、締結腕１５Ａの上面を移動し、敷居２の高さ位置が調整される。そして、敷居２の高さ位置の調整が完了すれば、緩み止めナット３１を増し締めし、くさび板２７を固定する。さらに、ナット２３を増し締めし、敷居２と敷居受け金１３Ａとを固定する。
【００３４】
このように、この実施の形態２によれば、くさび板引き寄せボルト３０を回転させてくさび板２７の移動量を変えるだけで、敷居２の上下方向の位置を調整できる。そこで、従来装置で行われていた第１取付具をハンマーで叩いて敷居の上下方向の位置を調整する作業が不要となり、敷居２の据え付け調整が極めて簡易となり、作業時間の短縮が図られる。
【００３５】
また、敷居２に作用する荷重は、くさび板２７および敷居受け金１３Ａを介して敷居固定取付金８Ａで受けられている。そして、アンカーボルト１７が敷居固定取付金８Ａの底板部９に穿設された円形の穴１２ｃを挿通して昇降路壁３に打設されたアンカー本体に締着されているので、敷居固定取付金８Ａの上下方向の移動が阻止されている。そこで、荷重が敷居２にかかって、経年で敷居２が下がり、段差が発生することが確実に防止される。
また、敷居固定取付金８Ａの底板部９に穿設した円形の穴１２ｃにアンカーボルト１７を通して敷居固定取付金８Ａを固定するようにしているので、ベース板４が不要となり、構成の簡素化が図られる。
【００３６】
実施の形態３．
図８はこの発明の実施の形態３に係るエレベータ乗り場敷居装置の据え付け状態を示す要部拡大図、図９はこの発明の実施の形態３に係るエレベータ乗り場敷居装置に適用される敷居受け金を示す斜視図である。
【００３７】
図８および図９において、敷居受け金１３Ｂは、締結腕１５Ａに代えて締結腕１５Ｂが形成されている点を除いて、実施の形態２の敷居受け金１３Ａと同様に構成されている。そして、締結腕１５Ｂは、切り欠き２６に代えてねじ穴３２が受け腕２５に形成されている点を除いて、締結腕１５Ａと同様に構成されている。
くさび板２７Ａは、ねじ穴２９に代えて、溝穴３３を薄肉部に下面側に開口するように形成し、穴方向を穴２８の長軸方向とする貫通穴３４を溝穴３３と外部とを連通するように薄肉部に形成している点を除いて、上記実施の形態２のくさび板２７と同様に構成されている。
【００３８】
くさび板引き寄せボルト３０は、ねじ穴３２に螺着され、その延出端を貫通穴３４に挿入されている。そして、Ｃ形軸用クリップ３５が溝穴３３内に挿入されているくさび板引き寄せボルト３０の部位に装着されている。これにより、くさび板引き寄せボルト３０は桑日板２７Ａに回転自在に連結される。ここで、受け腕２５、ねじ穴３２、溝穴３３、貫通穴３４、Ｃ形軸用クリップ３５およびくさび板引き寄せボルト３０がくさび板移動手段を構成している。
なお、他の構成は上記実施の形態２と同様に構成されている。
【００３９】
この実施の形態３では、くさび板引き寄せボルト３０を回転させることにより、くさび板２７Ａが受け腕２５側に引き寄せる。これにより、くさび板２７Ａは、締結腕１５Ｂの上面を移動し、敷居２の高さ位置が調整される。
従って、この実施の形態３においても、上記実施の形態２と同様の効果が得られる。
【００４０】
なお、上記各実施の形態では、敷居は、乗り場の出入り口の左右方向の両側下部を昇降路壁に支持されているものとしているが、敷居の支持箇所は、左右方向の両側の２箇所に限定されるものではなく、３箇所以上であっても良い。この場合、敷居の支持箇所は、左右方向に関して均等に配置されることが望ましい。
また、上記各実施の形態では、敷居固定取付金は一対の側板部が底板部に設けられているものとして説明しているが、いずれか一方の側板部のみを備えていてもよい。
【図面の簡単な説明】
【００４１】
【図１】この発明の実施の形態１に係るエレベータ乗り場敷居装置を昇降路側から見た正面図である。
【図２】図１のＩＩ−ＩＩ矢視断面図である。
【図３】この発明の実施の形態１に係るエレベータ乗り場敷居装置の構成を説明する分解斜視図である。
【図４】この発明の実施の形態２に係るエレベータ乗り場敷居装置の据え付け状態を示す一部破断側面図である。
【図５】この発明の実施の形態２に係るエレベータ乗り場敷居装置の据え付け状態を示す要部拡大図である。
【図６】この発明の実施の形態２に係るエレベータ乗り場敷居装置に適用されるくさび板を示す斜視図である。
【図７】この発明の実施の形態２に係るエレベータ乗り場敷居装置に適用される敷居受け金を示す斜視図である。
【図８】この発明の実施の形態３に係るエレベータ乗り場敷居装置の据え付け状態を示す要部拡大図である。
【図９】この発明の実施の形態３に係るエレベータ乗り場敷居装置に適用される敷居受け金を示す斜視図である。
【符号の説明】
【００４２】
１  出入り口、２  敷居、２ａ  縦通溝、４  ベース板、５  基部、６  受け部、８，８Ａ  敷居固定取付金、９  底板部、１０  側板部、１１  受け板部、１３，１３Ａ，１３Ｂ  敷居受け金、１４  取付腕、１５，１５Ａ，１５Ｂ  締結腕、１７  アンカーボルト、１８  ジャッキボルト（敷居固定取付金移動手段）、１９  ナット（敷居固定取付金移動手段）、２２  締結ボルト（締結具）、２３  ナット（締結具）、２５  受け腕（くさび板移動手段）、２７，２７Ａ  くさび板、２９  ねじ穴（くさび板移動手段）、３０  くさび板引き寄せボルト（くさび板移動手段）、３１  緩み止めナット（くさび板移動手段）、３２  ねじ穴（くさび板移動手段）、３３  溝穴（くさび板移動手段）、３５  Ｃ形軸用クリップ（くさび板移動手段）。
【図１】
2008143615.tif 000003
【図２】
2008143615.tif 000004
【図３】
2008143615.tif 000005
【図４】
2008143615.tif 000006
【図５】
2008143615.tif 000007
【図６】
2008143615.tif 000008
【図７】
2008143615.tif 000009
【図８】
2008143615.tif 000010
【図９】
2008143615.tif 000011